(57)【要約】  印刷製品を断裁して折り畳む装置が提供される。装置（２０）は、パーフォレータ（３０，３１）を備え、ウェブに第１スリット（１４２）を形成する第１断裁装置（３２，３３）を備え、凹凸状の端部（２３４）を備えた折り丁を形成するために、長手方向で第１スリット（１４２）からずれた位置でウェブに第２スリット（１４４）を形成する第２断裁装置（３４，３５）を備え、折り丁をデルタ折りする折り装置（６０）を備え、凹凸状の端部（２３４）が折り丁のスロット（２３０）に係合するように折り丁をデルタ折りする折り装置を備え、スロットは、パーフォレータ（３０，３１）によって形成される。印刷製品および折り丁を折り畳む方法が提供される。前縁（１２３）によって、比較的容易に変位および折れ込みが回避され、傾斜付けが抑制される。
2011515303.tif 000002
【特許請求の範囲】
【請求項１】
印刷製品を断裁して折り畳む装置において、
パーフォレータを備え、
ウェブに第１スリットを形成する第１断裁装置を備え、
凹凸状の端部を備えた折り丁を成形するために、ウェブ長手方向で第１スリットからずれた位置でウェブに第２スリットを形成する第２断裁装置を備え、
凹凸状の端部が折り丁のスロットに係合するように折り丁をデルタ折りする折り装置を備え、前記スロットが、パーフォレータによって形成されることを特徴とする、印刷製品を断裁して折り畳む装置。
【請求項２】
パーフォレータは、ウェブにミシン目を入れることで、ウェブにスロットを形成する、請求項１記載の装置。
【請求項３】
折り装置は、折りブレードの設けられたデルタ折り胴を備えており、該折りブレードは、凹凸状の端部がスロットによって係合されるように凹凸状の端部を押し込む、請求項１または２記載の装置。
【請求項４】
折り装置は、くわえ装置を有するくわえ胴を備えており、該くわえ装置は、凹凸状の端部がスロットによって係合されたあとで、折り丁に係合し、凹凸状の端部は、くわえ装置が折り丁に係合する際に、スロットに残るようになっている、請求項３記載の装置。
【請求項５】
第１断裁装置は、第１歯を有する第１断裁ブレードを備えており、第２断裁装置は、第２歯を有する第２断裁ブレードを備えており、第１歯は、第２歯がウェブを断裁する第２位置よりも後方の第１位置でウェブを断裁し、第１歯および第２歯は、折り丁の凹凸状の端部を形成する、請求項１記載の装置。
【請求項６】
印刷製品を折り畳む方法において、
以下のステップ；
ウェブを断裁して、前縁タブを有する折り丁を成形し、折り丁がミシン目スロットを備えるようにするステップ、
折り丁を折り畳み、前縁タブがミシン目スロットに進入するようにするステップ、
を有することを特徴とする、印刷製品を折る方法。
【請求項７】
折り畳みステップは、第１折り線で折り丁を折る第１横折りと第２折り線で折るデルタ折りとを有し、前縁タブは、ミシン目スロットに進入する、請求項６記載の方法。
【請求項８】
前縁タブがミシン目スロットに進入したあとで、折り丁の折り畳みが完了するまで、前縁タブは、ミシン目スロット内に維持される、請求項６記載の方法。
【請求項９】
追加的に、スロットを形成するためにウェブにミシン目を入れるステップを有する、請求項６記載の方法。
【請求項１０】
追加的に、スロットを形成するために折り丁にミシン目を入れるステップを有する、請求項６記載の方法。
【請求項１１】
折り丁において、
タブを有する前縁を備え、
前縁とは反対側に後縁を備え、
前縁と後縁との間にミシン目スロットを備え、
前縁とミシン目スロットとの間に第１折り線を備え、
ミシン目スロットに沿って第２折り線を備え、
折り丁は、第１折り線と第２折り線とに沿って折られており、ミシン目スロットは、タブを収容して、タブに係合することを特徴とする、折り丁。
【発明の詳細な説明】
【技術分野】
【０００１】
本発明は、概して印刷機、特に印刷製品を断裁して折り畳む装置および方法に関する。
【０００２】
米国特許第５３８６９７９号明細書には、ウェブ輪転印刷機のための特別な胴配置構造を有する回転方式折り装置が開示されている。所望の作動モードである第１および第２横折りまたはデルタ折りが、予め設定されて、各くわえ装置が位置決めされたあとに、第１横折りは、折りブレード胴に設けられた折りブレードによってくわえ装置に資料または折り丁を押し込むまたは折り込むことによって行われ、くわえ装置は、作動モードに応じて第１または第２位置にもたらされる。第１横折りされたコピーまたは折り丁は、グリッパ胴のグリッパバーによって、くわえ胴の周から取り出される。グリッパ胴の折りブレードは、コピーまたは折り丁を、くわえ胴の、適切に位置決めされたくわえ装置に押し込むまたは折り込むので、第２横折りまたはデルタ折りが形成される。
【０００３】
米国特許出願公開第２００３／００９６６８８号明細書において、可変円周方式の折り装置が開示されている。ザンメル胴から製品が、第１横折りを形成するために、折りブレードによって、ピンシステムからくわえ胴のくわえ装置に制御されながら引き渡される。次いで、製品は、従来慣用の技術を用いて追加的に折り畳むことができる。たとえば製品が第２横折り胴のグリッパシステムに引き渡されて、折りブレードによってくわえ胴のくわえ装置に押し込まれることによって、２重の平行折りまたはデルタ折りが形成される。
【０００４】
発明の概要
印刷製品を断裁して折り畳む装置が提供される。装置は、パーフォレータを備え、ウェブに第１スリットを形成する第１断裁装置を備え、凹凸状の端部を備えた折り丁を成形するために、ウェブ長手方向に第１スリットからずらした位置でウェブに第２スリットを形成する第２断裁装置を備え、凹凸状の端部が、パーフォレータによって形成された折り丁のスロットに係合するように折り丁をデルタ折りする折り装置を備えている。
【０００５】
印刷製品を折り畳む方法が提供される。ステップは、前縁タブを有する折り丁を形成するように折り丁がミシン目スロットを有しており、前縁タブがウェブを断裁してミシン目スロットに進入するように折り丁を折り畳むことを含む。
【０００６】
折り丁も提供される。折り丁は、タブを有する前縁を備え、前縁とは反対側に後縁を備え、前縁と後縁との間にミシン目スロットを備え、前縁とミシン目スロットとの間に第１折り線を備え、ミシン目スロットに沿って第２折り線を備えている。折り丁は、第１折り線と第２折り線とに沿って折り畳まれ、ミシン目スロットは、タブを収容して、タブに係合する。
【０００７】
本発明を、以下の図面を参照しながら以下に説明する。
【図面の簡単な説明】
【０００８】
【図１】本発明の１つの実施の形態による折り装置を概略的に示す側面図である。
【図２】図１に示した折り装置によってデルタ折り製品に折り畳まれる折り丁を、折り畳まれていない状態で概略的に示す平面図であり、パーフォレーションブレードと、第１断裁ブレードと、第２断裁ブレードとが折り丁を形成するためにどこで作用したかを表すために、パーフォレーションブレード、第１断裁ブレードおよび第２断裁ブレードは概略的に配置されている。
【図３】デルタ折り製品の展開した状態で、図２に示した折り丁を示す斜視図である。
【図４】図１に示した第１くわえ装置によって係合された、図２に示した折り丁を概略的に示す拡大斜視図である。
【図５】図１に示した第２折りブレードと第２くわえ装置とによってデルタ折りされている、図２に示した折り丁を概略的に示す拡大側面図である。
【図６】デルタ折りされる間に前縁タブがミシン目スロットに進入するまえの、図２に示した折り丁を示す斜視図である。
【図７】デルタ折りされている、図２に示した折り丁を概略的に示す側面図であり、前縁タブがミシン目スロットによって係合され、折り丁は、図１に示した第２くわえ装置によって係合されている。
【図８】最終的なデルタ折り製品として折り畳まれた、図２に示した折り丁を概略的に示す側面図である。
【０００９】
図１には、本発明の１つの実施の形態による、折り装置２０に進入するウェブ２２を概略的に側面図で示した。本発明において、ウェブ２２の定義には、複数のリボンが含まれる。ニッピングローラ２４，２５，２６，２７は、ウェブ２２を、折り装置２０に搬送し、ウェブ２２の適切な方向付けを維持することを助けることができる。パーフォレータ胴３０，３１は、パーフォレータブレード（ミシン刃）１３０を用いて、ウェブ２２に横方向にミシン目を入れる（クロスパーフォレータ）。ウェブ２２に横方向にミシン目を入れたあとで、ウェブ２２は、打ち抜き機２８を通過することができる。第１断裁胴３２，３３は、第１断裁ブレード（断裁刃）１３２を用いて、ウェブ２２が胴３２，３３の間を通過する間にウェブ２２を断裁する。第１断裁ブレード１３２は、ウェブ２２にスリット１４２（図２）を形成することができ、折り丁１２２のあとに形成される第２折り丁の前縁３２３にタブ３３４（図２）を部分的に形成しつつ、折り丁１２２（図２）の後縁１２４を部分的に形成する。第２断裁胴３４，３５は、第２断裁ブレード１３４を用いて、ウェブ２２が胴３４，３５の間を通過する間に、ウェブ２２を断裁することができる。第２断裁ブレード１３４は、ウェブ２２にスリット１４４を形成し、折り丁１２２（図２）の後縁１２４を最終的に形成し、折り丁１２２のあとに形成される、第２折り丁の前縁３２３にタブ３３４（図２）を最終的に形成することができる。
【００１０】
パーフォレータ胴３０，３１によってウェブ２２にミシン目を入れて、第１および第２断裁胴３２，３３，３４，３５によってウェブが断裁（スリット形成）されたあとで、連続的に前後に位置する折り丁（図２）が形成される。連続する折り丁１２２（図２）は、単数または複数枚のシート厚さを有していてよい。択一的な形態では、パーフォレータ胴３０，３１は、ウェブ２２が断裁胴３２，３３，３４，３５によって折り丁１２２（図２）に断裁されたあとで、折り丁１２２（図２）にミシン目を入れることもできる。加速テープ３８は、折り丁１２２が断裁胴３４，３５から収集胴４０に向かう際に、折り丁１２２（図２）のガイドを補助することができる。折り丁１２２（図２）は、収集胴４０に設けられた第１グリッパ４１によって把持される。図１には、収集胴４０に設けられた第１グリッパ４１が折り丁１２２ａを把持した状態を示した。グリッパ４１によって把持された折り丁１２２ａは、収集胴４０とくわえ胴（折りフラップ胴）５０とによって形成されたニップ４５を通過する。第１折りブレード（タッカブレード）４２が、折り丁１２２ａの一部をくわえ胴５０の第１くわえ装置５３に押し込む。第１折りブレード４２が折り丁１２２ａの一部を第１くわえ装置５３に押し入れる際に、第１くわえ装置５３は、折り丁１２２ａに係合することができ、折り丁１２２ａに第１横折りを形成する。次いで、グリッパ４１は、折り丁１２２ａを解放し、第１くわえ装置５３は、くわえ胴５０の軸線を中心とするくわえ胴５０の回転を介して折り丁１２２ａを搬送し、折り丁は、デルタ折り胴６０に設けられた第２グリッパ６１によって把持される。
【００１１】
既に第１折りブレード４２と第１くわえ装置５３とによって第１横折りされた折り丁１２２ｂは、折り丁１２２ｂがくわえ胴５０とデルタ折り胴６０とによって形成されたニップ５５を通過する際に、デルタ折り胴６０に設けられた第２グリッパ６１によって把持される。デルタ折り胴６０に設けられた第２折りブレード６２は、折り丁１２２ｂの一部をくわえ胴５０の第２くわえ装置５４に押し込むことができる。第２折りブレード６２が折り丁１２２ｂの一部を第２くわえ装置５４に押し込む際に、第２くわえ装置５４は、折り丁１２２ｂに係合することができ、折り丁１２２ｂに第２横折りまたはデルタ折りが形成される。折り丁１２２ｂが第２折りブレード６２と第２くわえ装置５４とによってデルタ折りされたあとで、依然として第２くわえ装置５４によって係合さながら、折り丁１２２ｂは、仕上げローラ７０とくわえ胴５０との間に形成されたニップを通過して、折り丁１２２ｂのデルタ折りが完了する。くわえ胴５０の表面に隣接する折り丁１２２ｃは、最終デルタ折り製品２２２を形成するように、第１折りブレード４２と第１くわえ装置（折りフラップ）５３とによって第１横折りされ、第２折りブレード６２と第２くわえ装置５４とによってデルタ折りされている（図８）。
【００１２】
図２には、図１に示した本発明の形態による、断裁ブレード１３２，１３４によってウェブ２２から断裁され、パーフォレータブレード１３０によってミシン目を入れられた折り丁１２２を平面図で示した。パーフォレータブレード１３０、第１断裁ブレード１３２および第２断裁ブレード１３４は、パーフォレータブレード１３０、第１断裁ブレード１３２および第２断裁ブレード１３４がウェブ２２にどこで作用したかを示すために概略的に配置されている。第２断裁ブレード１３４は、ウェブ２２の走行方向１５０に関して、第１断裁ブレード１３２およびパーフォレータブレード１３０の下流側に配置されており、第１断裁ブレード１３２は、パーフォレータブレード１３０の下流側に配置されている。択一的な形態では、刃１３０，１３２，１３４は、走行方向１５０に関して多様に配置することができる。
【００１３】
折り丁１２２は、前縁１２３と後縁１２４とを備えている。各断裁ブレード１３２，１３４は、区分化されていて、それぞれ相互に間隔を置かれた歯２６０，２６８を備えており、歯２６０，２６８は、断裁中にウェブ２２に突き通される。したがって断裁ブレード１３２，１３４は、それぞれウェブ２２にスリット１４２，１４４を形成する。歯２６８によってウェブ２２に形成されたスリット１４４は、ウェブ２２が前後に位置する折り丁１２２に分離されるように、歯２６０によってウェブ２２に形成されたスリット１４２の間に整合させられている。スリット１４２，１４４は、ウェブ２２から先行する折り丁を断裁し、先行する折り丁の後縁を形成しつつ、折り丁１２２の前縁１２３を形成する。断裁ブレード１３２，１３４は、スリット１４２が、ウェブ２２の走行方向１５０で、長手方向でスリット１４４からオフセットして、もしくはスリット１４４よりも後方へずらされるようにウェブを断裁する。したがってオフセット断裁によって、前縁１２３にタブ２３４が形成され、タブ２３４は、凹凸状に配置される。スリット１４２，１４４は、それぞれ断裁ブレード１３２，１３４によって断裁され、折り丁１２２の後縁１２４も規定する。後縁１２４は、前縁１２３と同様に凹凸状に配置することができる。スリット１４４がウェブ２２に断裁されると、折り丁１２２の後縁１２４が形成され、折り丁１２２は、ウェブ２２から形成される。ウェブ２２を断裁することによって、折り丁１２２の前縁１２３および後縁１２４が形成される場合に、スリット１４２，１４４を結合している境界２４０も形成される。境界２４０は、ウェブ２２が断裁ブレード１３２，１３４によって断裁されたあとで、ウェブ２２に加えられた張力によって形成されるウェブの裂断によって形成することができる。択一的に、一方または両方のブレード１３２，１３４は、境界２４０を規定するように、それぞれ歯２６０，２６８を備えるか、または１つ以上の個別の長手方向に延びたブレードを提供してもよい。
【００１４】
折り丁１２２は、長さＬを有し、パーフォレータブレード１３０によって形成されたミシン目スロット２３０を備えている。ミシン目スロット２３０は、後縁１２４から折り丁２２の１／３の長さＬ（Ｌ／３）にほぼ等しい距離で、かつ前縁１２３から折り丁２２の長さＬの２／３にほぼ等しい距離において、前縁１２３および後縁１２４に対して平行に位置決めされている。折り丁１２２のミシン目スロット２３０は、折り丁１２２が第２折り線３３０に沿ってデルタ折りされる際に、折り丁１２２のタブ２３４に係合するサイズに形成されており、第２折り線３３０は、実質的にミシン目スロット２３０によって形成することができる。第１折り線３２９は、折り丁１２２がデルタ折りされるまえに折り丁１２２がどこで第１横折りされるのかを示している。第１折り線３２９は、第２折り線３３０および前縁１２３に対して平行に延びている。第１折り線は、前縁１２３から折り丁１２２の長さＬの１／３に等しい距離（Ｌ／３）、かつ後縁１２４から折り丁の長さＬの２／３に等しい距離（２Ｌ／３）、かつ第２折り線３３０およびミシン目スロット２３０から折り丁１２２の１／３に等しい距離（Ｌ／３）に位置決めされてよい。
【００１５】
折り丁１２２の後縁１２４を規定するスリット１４２，１４４および境界２４０は、折り丁１２２のあとで形成される第２折り丁の前縁３２３も規定することができる。したがってミシン目スロット２３０およびスリット１４２は、それぞれパーフォレータブレード１３０および断裁ブレード１３２によって、ブレード１３２とブレード１３４の間でウェブ２２に形成される。ブレード１３４は、ウェブ２２が方向１５０に走行しながら、ウェブ２２を断裁し、第２折り丁の後縁を規定するために境界２４０を形成することができる。ブレード１３０，１３２の間で、ミシン目スロット２３０は、ウェブ２２に形成されており、スロット２３０は、第２折り丁に続く第３折り丁に含んでもよい。
【００１６】
択一的な形態では、断裁ブレード１３２，１３４は、単個の断裁ブレードによって代用することができ、単個の断裁ブレードは、ウェブ２２を断裁して、凹凸状の配置を有しており、かつタブ２３４を含む前縁１２３を備えた折り丁１２２を形成するように成形されている。後縁１２４もまた、凹凸状の配置を有するこの単個の断裁ブレードによって、または凹凸状の配置を用いてもしくは用いずに別のブレードによって形成することができる。
【００１７】
図３には、開いたデルタ折り製品として、図２に示した折り丁１２２を斜視図で示した。折り丁１２２は、第１および第２折り線３２９，３３０に沿って折られている。ミシン目スロット２３０は、前縁タブ２３４を収容するように寸法付けされている。
【００１８】
図４には、図１に示した第１くわえ装置５３が係合する、図２に示した折り丁１２２を拡大斜視図で概略的に示した。折り丁１２２は、ニップ４５で、第１折り線３２９に沿って第１横折りされていて、くわえ胴５０の回転を介して、第１くわえ装置５３によってくわえ胴５０の軸を中心に回転している。折り丁１２２の前縁１２３は、既にニップ４５の間を通過している。折り丁１２２は、第２折り線３３０に沿ってミシン目スロット２３０を備えており、第２の折り線３３０は、折り丁１２２の後縁１２４と共に収集胴４０の軸を中心に回転される収集胴４０の表面に隣接して配置されている。
【００１９】
図５には、図１に示した第２折りブレード６２と第２くわえ装置５４とによってデルタ折りされた状態で、図２に示した折り丁１２２を拡大側面図で示した。折り丁１２２は、第１折り線３２９に沿って第１くわえ装置５３によって第１横折りされており、折り丁１２２がニップ５５を通過しながら、第２折り線３００に沿ってデルタ折りまたは第２横折りされ始めている。図５に示した動作に先立って、第１くわえ装置５３は、折り丁１２２を離し、折り丁１２２は、第２グリッパ６１によって把持されている。図５は、グリッパ６１が丁度折り丁１２２を離した状態である。第２折りブレード６２は、前縁１２３を押し込んでおり、折り丁１２２がデルタ折りされる間に前縁タブ２３４をミシン目スロット２３０内に掛合させるように、前縁タブ２３４（図２）は、ミシン目スロット（図２）に進入して、着脱可能にミシン目スロット２３０（図２）によって係合される。好適には、第２折り線３０に沿って折り丁１２２が第２くわえ装置５４によって係合されているので、前縁１２３は、第２くわえ装置５４から離脱しない。ミシン目スロット２３０（図２）との前縁タブ２３４（図２）の掛合は、好適には、折り丁１２２の前縁１２３において折れ込み（端折れ）が形成されるのを防止し、折り丁１２２の傾斜を最小限にする。第２折りブレードによって前縁タブ２３４（図２）がミシン目スロット２３０（図２）に進入させられたあとで、第２折りブレード６２は、第２くわえ装置５４が確実に折り丁１２２に係合する一方で、第２くわえ装置５４から引っ込む。
【００２０】
図６には、前縁タブ２３４がデルタ折りの間にミシン目スロット２３０に進入するまえの、図２に示した折り丁１２２を斜視図で示した。前縁タブ２３４は、ミシン目スロット２３０よりも僅かに小さいサイズに形成することができるので、前縁タブ２３４は、デルタ折りの間にミシン目スロット２３０に進入することができ、前縁タブ２３４は、第２折り線３３０に沿ってデルタ折りが完了した時に、ミシン目スロット２３０から抜け出ることはない。折り丁１２２は、既に第１折り線３２９に沿って横折りされているので、前縁１２３は、第２折り線３３０に隣接している。デルタ折りが完了すると、後縁１２４は、第１折り線３２９に隣接する。
【００２１】
図７には、デルタ折りされていて、前縁タブにミシン目スロット２３０が係合し、折り丁１２２に第２くわえ装置６２が係合している状態で、図２に示した折り丁を概略的に側面図で示した。第２くわえ装置６２は、折り丁１２２を締め付けており、折り丁１２２は、折り丁１２２のデルタ折りが完了した時に不整合になることがない。前縁タブ２３４は、ミシン目スロット２３０（図２）に進入しており、第２折り線２３０に沿ってミシン目スロット２３０を通り抜けている。折り丁１２２のデルタ折りが完了する際に、第１折り線３２９は、後縁１２４に向かって移動する。
【００２２】
図８には、最終的なデルタ折り製品２２２として折られた、図２に示した折り丁１２２を概略的に側面図で示した。実質的に平らなデルタ折り製品として折られた折り丁１２２は、３つの区分に折り畳まれている。第１区分は、後縁１２４と、折り丁１２２が折られる第２折り線３３０との間に規定されている。第２区分は、第２折り線３３０と、折り丁１２２が折られる第１折り線３２９との間に規定されている。第３区分は、第１折り線３２９と前縁１２３との間に規定されている。第３区分は、第１区分と第２区分との間に位置している。前縁タブ２３４（図２）は、ミシン目スロット２３０（図２）を通り抜けている。
【００２３】
本発明は、折り丁１２２がデルタ折りされながら第２折りブレード６２が引っ込む際に、第２折りブレード６２（図１）によって第２くわえ装置５４（図１）からデルタ折り製品の内側のシートが引き出されるのを防ぐ。前縁１２３（図２）の小さな角が第２くわえ装置５４（図１）から外れる場合でも、折れ込みは、折り丁１２２の内側のシートに形成される恐れがある。前述の、デルタ折りの間に折れ込みを回避しようとする試みは、内側シートの開いた端部に２ｍｍのラップを用いたものであり、これによって折り丁が第２くわえ装置によって把持される際に、より多くの嵩（束）が折り丁に提供され、これによって内側シートの抜き出しが困難になる。さらに折れ込みは、第２折り畳みガイドのより平らな幾何学形状によって回避することができ、これによって内側シートに僅かな曲げ力しか及ぼされないので、ラップは、第２くわえ装置から抜け出さない。また、第２くわえ装置は、第２くわえ装置のブレードを備えることができ、ブレードは、折り丁に突き刺さり、折り丁が第２くわえ装置によって把持される際に折り丁は内側シートで保持され維持される。
【００２４】
前述の記載では、例示した特別な形態および態様に関して本発明を説明した。しかしながら後述の特許請求の範囲に記載した本発明の広い思想および範囲から逸脱することなく、様々な変化形および改良形が得られる。明細書および図面は、発明を制限するものではなく、単に例示したものに過ぎない。
【図１】
2011515303.tif 000003
【図２】
2011515303.tif 000004
【図３】
2011515303.tif 000005
【図４】
2011515303.tif 000006
【図５】
2011515303.tif 000007
【図６】
2011515303.tif 000008
【図７】
2011515303.tif 000009
【図８】
2011515303.tif 000010
【国際調査報告】
2011515303.tif 000011